(57)【要約】【課題】種々の用途に利用でき、利便性の向上が図れるマルチディスプレイシステムを提供すること。【解決手段】マルチディスプレイシステム１は、複数の表示装置３と、制御装置４とを備える。表示装置３は、原画像または部分画像に関する画像情報の信号形式に応じて設定された複数の信号入力系統と、いずれかの信号入力系統を選択する入力系統選択部と、入力した画像情報に対して所定の画像処理を施して表示部に部分画像を表示させる表示制御部とを備える。制御装置４は、マルチディスプレイシステム１の用途に応じた複数の表示モードのうちいずれかの表示モードを選択する旨のモード選択情報を取得し、取得したモード選択情報に基づいて、複数の表示装置３に所定の制御指令を出力し、モード選択情報に対応した信号入力系統を選択させモード選択情報に対応した表示モードで各部分画像を表示させる。【選択図】図１
2008040205.tif 000002
【特許請求の範囲】
【請求項１】
一画面の原画像の少なくとも一部を構成する部分画像を表示する複数の表示装置を有し、前記複数の表示装置が表示する各部分画像によって前記原画像を表示するマルチディスプレイシステムであって、
前記複数の表示装置に所定の制御指令を出力して前記複数の表示装置を制御する制御装置を備え、
前記表示装置は、
前記原画像または前記部分画像に関する画像情報を入力するための入力端子をそれぞれ有し、入力される前記画像情報の信号形式に応じて設定された複数の信号入力系統と、
前記制御装置からの制御指令に応じて、前記複数の信号入力系統のうちいずれかの信号入力系統を選択し、選択した信号入力系統を介して前記画像情報を入力させる入力系統選択部と、
前記制御装置からの制御指令に応じて、入力した前記画像情報に対して所定の画像処理を施して表示部に前記部分画像を表示させる表示制御部とを備え、
前記制御装置は、
当該マルチディスプレイシステムの用途に応じた複数の表示モードのうちいずれかの表示モードを選択する旨のモード選択情報を取得し、取得したモード選択情報に基づいて、前記複数の表示装置に所定の制御指令を出力し、前記複数の表示装置を構成する各前記入力系統選択部に前記モード選択情報に対応した信号入力系統を選択させ、前記モード選択情報に対応した前記表示モードで各部分画像を表示させる
ことを特徴とするマルチディスプレイシステム。
【請求項２】
請求項１に記載のマルチディスプレイシステムにおいて、
前記画像情報を同一の第１のビデオ信号として前記複数の表示装置にそれぞれ出力する画像信号出力装置を備え、
前記複数の信号入力系統は、前記画像信号出力装置から出力された第１のビデオ信号を入力するための第１のビデオ信号入力系統を含んで構成され、
前記制御装置は、
前記複数の表示モードのうちリアルタイムモードを選択する旨のモード選択情報を取得した場合に、前記複数の表示装置に所定の制御指令を出力し、前記複数の表示装置を構成する各前記入力系統選択部に前記リアルタイムモードに対応した前記第１のビデオ信号入力系統を選択させ、前記リアルタイムモードで各部分画像を表示させる
ことを特徴とするマルチディスプレイシステム。
【請求項３】
請求項１または請求項２に記載のマルチディスプレイシステムにおいて、
前記画像情報に基づいて前記部分画像に関する部分画像情報を形成し、前記部分画像情報に対して所定の画像処理を施し、画像処理を施した前記部分画像情報を第２のビデオ信号として前記複数の表示装置にそれぞれ出力する複数の描画装置を備え、
前記複数の信号入力系統は、前記描画装置から出力された第２のビデオ信号を入力するための第２のビデオ信号入力系統を含んで構成され、
前記制御装置は、
前記複数の表示モードのうちハイパフォーマンスモードを選択する旨のモード選択情報を取得した場合に、前記複数の表示装置に所定の制御指令を出力し、前記複数の表示装置を構成する各前記入力系統選択部に前記ハイパフォーマンスモードに対応した前記第２のビデオ信号入力系統を選択させ、前記ハイパフォーマンスモードで各部分画像を表示させる
ことを特徴とするマルチディスプレイシステム。
【請求項４】
請求項１から請求項３のいずれかに記載のマルチディスプレイシステムにおいて、
前記画像情報を第１のデジタル信号として前記複数の表示装置にそれぞれ伝送可能とするネットワークを備え、
前記複数の信号入力系統は、前記ネットワークを介して前記第１のデジタル信号を入力するためのネットワーク入力系統を含んで構成され、
前記制御装置は、
前記複数の表示モードのうち第１のシンプルモードを選択する旨のモード選択情報を取得した場合に、前記複数の表示装置に所定の制御指令を出力し、前記複数の表示装置を構成する各前記入力系統選択部に前記第１のシンプルモードに対応した前記ネットワーク入力系統を選択させ、前記第１のシンプルモードで各部分画像を表示させる
ことを特徴とするマルチディスプレイシステム。
【請求項５】
請求項１から請求項４のいずれかに記載のマルチディスプレイシステムにおいて、
前記画像情報を記憶し、前記画像情報を第２のデジタル信号として前記複数の表示装置にそれぞれ出力する複数のストレージデバイスを備え、
前記複数の信号入力系統は、前記ストレージデバイスから出力された第２のデジタル信号を入力するためのストレージ入力系統を含んで構成され、
前記制御装置は、
前記複数の表示モードのうち第２のシンプルモードを選択する旨のモード選択情報を取得した場合に、前記複数の表示装置に所定の制御指令を出力し、前記複数の表示装置を構成する各前記入力系統選択部に前記第２のシンプルモードに対応した前記ストレージ入力系統を選択させ、前記第２のシンプルモードで各部分画像を表示させる
ことを特徴とするマルチディスプレイシステム。
【請求項６】
一画面の原画像の少なくとも一部を構成する部分画像を表示する複数の表示装置と、前記複数の表示装置を制御する制御装置とを備え、前記複数の表示装置が表示する各部分画像によって前記原画像を表示するマルチディスプレイシステムを利用した表示方法であって、
前記制御装置が、
前記マルチディスプレイシステムの用途に応じた複数の表示モードのうちいずれかの表示モードを選択する旨のモード選択情報を取得するモード選択情報取得ステップと、
前記モード選択情報に基づいて、前記複数の表示装置に制御指令を出力する制御指令出力ステップとを実行し、
前記表示装置が、
前記制御装置からの制御指令に応じて、前記複数の信号入力系統のうち前記選択された表示モードに対応した信号入力系統を選択する入力系統選択ステップと、
選択した前記信号入力系統を介して、前記原画像または前記部分画像に関する画像情報を入力する画像情報入力ステップと、
入力した前記画像情報に対して所定の画像処理を施して表示部に前記選択された表示モードで部分画像を表示する表示ステップとを実行する
ことを特徴とする表示方法。
【発明の詳細な説明】
【技術分野】
【０００１】
本発明は、マルチディスプレイシステム、および表示方法に関する。
【背景技術】
【０００２】
従来、一画面の原画像の少なくとも一部を構成する部分画像を表示する複数の表示装置（例えば、プロジェクタ）を有し、複数の表示装置が表示する各部分画像によって原画像を大画面で表示するマルチディスプレイシステムが知られている（例えば、特許文献１参照）。
特許文献１に記載の技術では、各表示装置に対して、パーソナルコンピュータ等の各描画ユニットをそれぞれ接続している。また、各描画ユニットは、ハードディスクやＤＶＤ(Digital Versatile Disc)等の記憶媒体である映像データ記憶装置から映像データを読み出し、読み出した映像データに対して色処理や解像度変換等を実施して各表示装置に出力する。そして、各表示装置は、各描画ユニットから出力された映像データに基づいて、部分画像を表示する。
【０００３】
【特許文献１】特開２００５−２５０４４５号公報
【発明の開示】
【発明が解決しようとする課題】
【０００４】
特許文献１に記載の技術では、各表示装置の信号入力系統を固定し、映像ソースの種類、用途等を限定して用いている。すなわち、描画ユニットを用いて高解像度で原画像を表示する用途が主として想定されている。このような技術の場合、映像配信サーバと描画ユニットとの間の通信処理や、描画ユニットの描画処理に要する時間により表示までの遅延が生じやすい。このため、例えば、プレゼンテーションでのスライド画像表示等のリアルタイム性（応答性）が重視される用途には適しているとは言えないという問題がある。
【０００５】
本発明の目的は、種々の用途に利用でき、利便性の向上が図れるマルチディスプレイシステム、および表示方法を提供することにある。
【課題を解決するための手段】
【０００６】
本発明のマルチディスプレイシステムは、一画面の原画像の少なくとも一部を構成する部分画像を表示する複数の表示装置を有し、前記複数の表示装置が表示する各部分画像によって前記原画像を表示するマルチディスプレイシステムであって、前記複数の表示装置に所定の制御指令を出力して前記複数の表示装置を制御する制御装置を備え、前記表示装置は、前記原画像または前記部分画像に関する画像情報を入力するための入力端子をそれぞれ有し、入力される前記画像情報の信号形式に応じて設定された複数の信号入力系統と、前記制御装置からの制御指令に応じて、前記複数の信号入力系統のうちいずれかの信号入力系統を選択し、選択した信号入力系統を介して前記画像情報を入力させる入力系統選択部と、前記制御装置からの制御指令に応じて、入力した前記画像情報に対して所定の画像処理を施して表示部に前記部分画像を表示させる表示制御部とを備え、前記制御装置は、当該マルチディスプレイシステムの用途に応じた複数の表示モードのうちいずれかの表示モードを選択する旨のモード選択情報を取得し、取得したモード選択情報に基づいて、前記複数の表示装置に所定の制御指令を出力し、前記複数の表示装置を構成する各前記入力系統選択部に前記モード選択情報に対応した信号入力系統を選択させ、前記モード選択情報に対応した前記表示モードで各部分画像を表示させることを特徴とする。
【０００７】
本発明では、マルチディスプレイシステムは、複数の信号入力系統、入力系統選択部、
および表示制御部を有する複数の表示装置と、各表示装置を制御する制御装置とを備えているので、以下に示すように、当該マルチディスプレイシステムの用途に応じた表示モードで動作する。
例えば、マルチディスプレイシステムの利用者は、利用したい用途に応じた表示モードを選択する旨のモード選択情報を制御装置に設定入力する。そして、制御装置は、利用者による設定入力により、モード選択情報を取得する。この後、制御装置は、モード選択情報に基づいて、所定の制御指令を複数の表示装置に出力する。
各表示装置は、制御装置からの制御指令に応じて、複数の信号入力系統のうち利用者により選択された表示モードに対応した信号入力系統を選択する。そして、選択された信号入力系統を介して、原画像または部分画像に関する画像情報が各表示装置に入力される。この後、各表示装置は、制御装置からの制御指令に応じて、入力した画像情報に対して所定の画像処理を施す。例えば、各表示装置は、入力した画像情報が原画像情報である場合には、制御装置からの制御指令に応じて、原画像情報のうち少なくとも一部を切り出して部分画像情報を形成するとともに、部分画像情報に対してガンマ補正等を施す（部分画像情報生成処理、画像補正処理）。また、例えば、各表示装置は、入力した画像情報が部分画像情報である場合には、制御装置からの制御指令に応じて、部分画像情報に対してガンマ補正等を施す（画像補正処理）。そして、各表示装置は、画像処理を施した部分画像情報に基づく部分画像を表示部に表示する。
【０００８】
以上のような構成により、利用者は、利用したい用途に応じた表示モードを選択するだけで、マルチディスプレイシステムが上述したような動作を実施するので、例えば、プレゼンテーション等のリアルタイム性が必要な場合、高解像度で原画像を表示する場合、あるいは、少リソースでマルチディスプレイシステムを運用する場合等の種々の用途に利用でき、利便性の向上が図れる。
また、各表示装置として、例えば、プロジェクタを採用すれば、一般的なプロジェクタとしては、複数の信号入力系統を備えているので、プロジェクタが備える複数の信号入力系統を有効に活用することで、新たなハードウェアの追加を最小限にし、低コストでマルチディスプレイシステムを構築できる。
【０００９】
本発明のマルチディスプレイシステムでは、前記画像情報を同一の第１のビデオ信号として前記複数の表示装置にそれぞれ出力する画像信号出力装置を備え、前記複数の信号入力系統は、前記画像信号出力装置から出力された第１のビデオ信号を入力するための第１のビデオ信号入力系統を含んで構成され、前記制御装置は、前記複数の表示モードのうちリアルタイムモードを選択する旨のモード選択情報を取得した場合に、前記複数の表示装置に所定の制御指令を出力し、前記複数の表示装置を構成する各前記入力系統選択部に前記リアルタイムモードに対応した前記第１のビデオ信号入力系統を選択させ、前記リアルタイムモードで各部分画像を表示させることが好ましい。
ここで、画像信号出力装置としては、パーソナルコンピュータ、テレビジョンチューナ、ＤＶＤ(Digital Versatile Disc)プレーヤ等が例示できる。
また、第１のビデオ信号入力系統としては、上述した画像信号出力装置から出力される第１のビデオ信号を入力する、コンポーネント信号入力系統、Ｓ(Separate)信号入力系統、コンポジット信号入力系統、アナログＲＧＢ信号入力系統、デジタル信号入力系統（ＤＶＩ(Digital Visual Interface)）等が例示できる。
【００１０】
本発明では、例えば、利用者が利用したい用途に応じた表示モードとしてリアルタイムモードを選択した場合には、マルチディスプレイシステムは、以下に示すように、リアルタイムモードで動作する。
すなわち、制御装置は、利用者による設定入力により、リアルタイムモードに応じたモード選択情報を取得する。この後、制御装置は、モード選択情報に基づいて、所定の制御指令を複数の表示装置に出力する。
各表示装置は、制御装置からの制御指令に応じて、複数の信号入力系統のうち第１のビデオ信号入力系統を選択する。そして、選択された第１のビデオ信号入力系統を介して、画像信号出力装置から出力された第１のビデオ信号が入力される。この後、各表示装置は、入力した第１のビデオ信号をＡ／Ｄ変換処理等を施しデジタル信号（画像情報）に変換し、制御装置からの制御指令に応じて、入力した画像情報に対して上述した画像処理（部分画像情報生成処理および画像補正処理の双方、または画像補正処理のみ）を施す。そして、各表示装置は、画像処理を施した部分画像情報に基づく部分画像を表示部に表示する。
【００１１】
以上のように、マルチディスプレイシステムでは、第１のビデオ信号の階層での信号処理を実施するように動作するため、途中で圧縮や復号等のデータ変換処理の必要がない。このため、遅延が少なく、例えば、画像信号出力装置としてノートＰＣ（パーソナルコンピュータ）を採用し、ノートＰＣ上でスライド形式のファイルを扱ってプレゼンテーションを実施する場合等には、ノートＰＣの操作によって画面を切り替えたとき等にレスポンスがよい。すなわち、複数の表示モードのうちリアルタイムモードを選択することで、プレゼンテーション等のリアルタイム性が必要な場合にマルチディスプレイシステムを最適に動作させることができる。
また、従来のようにマルチディスプレイシステムの稼動時に常に描画ユニットが動作することがないので、消費電力面において低コストにマルチディスプレイシステムを運用できる。
【００１２】
本発明のマルチディスプレイシステムでは、前記画像情報に基づいて前記部分画像に関する部分画像情報を形成し、前記部分画像情報に対して所定の画像処理を施し、画像処理を施した前記部分画像情報を第２のビデオ信号として前記複数の表示装置にそれぞれ出力する複数の描画装置を備え、前記複数の信号入力系統は、前記描画装置から出力された第２のビデオ信号を入力するための第２のビデオ信号入力系統を含んで構成され、前記制御装置は、前記複数の表示モードのうちハイパフォーマンスモードを選択する旨のモード選択情報を取得した場合に、前記複数の表示装置に所定の制御指令を出力し、前記複数の表示装置を構成する各前記入力系統選択部に前記ハイパフォーマンスモードに対応した前記第２のビデオ信号入力系統を選択させ、前記ハイパフォーマンスモードで各部分画像を表示させることが好ましい。
ここで、描画装置としては、パーソナルコンピュータが例示できる。
また、第２のビデオ信号入力系統としては、上述した描画装置から出力される第２のビデオ信号を入力する、アナログＲＧＢ信号入力系統、デジタル信号入力系統（ＤＶＩ）等が例示できる。
【００１３】
本発明では、例えば、利用者が利用したい用途に応じた表示モードとしてハイパフォーマンスモードを選択した場合には、マルチディスプレイシステムは、以下に示すように、ハイパフォーマンスモードで動作する。
すなわち、制御装置は、利用者による設定入力により、ハイパフォーマンスモードに応じたモード選択情報を取得する。この後、制御装置は、モード選択情報に基づいて、所定の制御指令を複数の表示装置等に出力する。
各描画装置は、例えば、制御装置からの制御指令に応じて、画像情報に基づいて部分画像に関する部分画像情報を形成し、部分画像情報に対して所定の画像処理（例えば、画素の色、輝度、解像度等を変換する画像処理）を実施する。そして、各描画装置は、画像処理を施した部分画像情報を第２のビデオ信号として複数の表示装置にそれぞれ出力する。
各表示装置は、制御装置からの制御指令に応じて、複数の信号入力系統のうち第２のビデオ信号入力系統を選択する。そして、選択された第２のビデオ信号入力系統を介して、各描画装置から出力された第２のビデオ信号が入力される。この後、各表示装置は、入力した第２のビデオ信号をＡ／Ｄ変換処理等を施しデジタル信号（部分画像情報）に変換し
、制御装置からの制御指令に応じて、入力した部分画像情報に対してガンマ補正等を施す。そして、各表示装置は、ガンマ補正等を施した部分画像情報に基づく部分画像を表示部に表示する。
【００１４】
以上のような構成では、各描画装置（パーソナルコンピュータ）としては、グラフィック処理の機能を有しているので、原画像情報または部分画像情報に対して高精度の画像処理を施して高解像度の部分画像情報を生成できる。すなわち、各表示装置が高解像度の部分画像情報に基づく部分画像をそれぞれ表示するので、部分画面を統合した全体画面としてはさらに高解像度の原画像を表示することができる。したがって、複数の表示モードのうちハイパフォーマンスモードを選択することで、高解像度で原画像を表示する場合にマルチディスプレイシステムを最適に動作させることができる。
また、各描画装置としてパーソナルコンピュータを採用することで、ソフトウェアの追加や更新によるマルチディスプレイシステムの構築後の機能の追加を容易に実施できる。
【００１５】
本発明のマルチディスプレイシステムでは、前記画像情報を第１のデジタル信号として前記複数の表示装置にそれぞれ伝送可能とするネットワークを備え、前記複数の信号入力系統は、前記ネットワークを介して前記第１のデジタル信号を入力するためのネットワーク入力系統を含んで構成され、前記制御装置は、前記複数の表示モードのうち第１のシンプルモードを選択する旨のモード選択情報を取得した場合に、前記複数の表示装置に所定の制御指令を出力し、前記複数の表示装置を構成する各前記入力系統選択部に前記第１のシンプルモードに対応した前記ネットワーク入力系統を選択させ、前記第１のシンプルモードで各部分画像を表示させることが好ましい。
【００１６】
ここで、ネットワークとしては、ＬＡＮ(Local Area Network)が例示できる。また、ＬＡＮケーブル等の有線にて構成する他、無線ＬＡＮ等の無線にて構成しても構わない。
本発明では、例えば、利用者が利用したい用途に応じた表示モードとして第１のシンプルモードを選択した場合には、マルチディスプレイシステムは、以下に示すように、第１のシンプルモードで動作する。
すなわち、制御装置は、利用者による設定入力により、第１のシンプルモードに応じたモード選択情報を取得する。この後、制御装置は、モード選択情報に基づいて、所定の制御指令を複数の表示装置に出力する。
各表示装置は、制御装置からの制御指令に応じて、複数の信号入力系統のうちネットワーク入力系統を選択する。そして、ネットワークおよび選択されたネットワーク入力系統を介して、第１のデジタル信号が入力される。この後、各表示装置は、入力した第１のデジタル信号（画像情報）に復号処理等を施し、制御装置からの制御指令に応じて入力した画像情報に対して上述した画像処理（部分画像情報生成処理および画像補正処理の双方、または画像補正処理のみ）を施す。そして、各表示装置は、画像処理を施した部分画像情報に基づく部分画像を表示部に表示する。
【００１７】
以上のような構成では、上述した描画装置等を用いる必要がなく、すなわち、描画装置等の電源を投入する必要がないので、消費電力面において低コストにマルチディスプレイシステムを運用できる。したがって、複数の表示モードのうち第１のシンプルモードを選択することで、少リソースでマルチディスプレイシステムを運用する場合にマルチディスプレイシステムを最適に動作させることができる。
また、ネットワークを介して画像情報がデジタル信号として各表示装置に入力されるので、アナログビデオ信号のようなケーブルの引き回しによる信号劣化を回避できる。
【００１８】
本発明のマルチディスプレイシステムでは、前記画像情報を記憶し、前記画像情報を第２のデジタル信号として前記複数の表示装置にそれぞれ出力する複数のストレージデバイスを備え、前記複数の信号入力系統は、前記ストレージデバイスから出力された第２のデ
ジタル信号を入力するためのストレージ入力系統を含んで構成され、前記制御装置は、前記複数の表示モードのうち第２のシンプルモードを選択する旨のモード選択情報を取得した場合に、前記複数の表示装置に所定の制御指令を出力し、前記複数の表示装置を構成する各前記入力系統選択部に前記第２のシンプルモードに対応した前記ストレージ入力系統を選択させ、前記第２のシンプルモードで各部分画像を表示させることが好ましい。
【００１９】
ここで、ストレージデバイスとしては、例えば、ＵＳＢ(Universal Serial Bus)に対応したハードディスクやＵＳＢメモリが例示できる。
本発明では、例えば、利用者が利用したい用途に応じた表示モードとして第２のシンプルモードを選択した場合には、マルチディスプレイシステムは、以下に示すように、第２のシンプルモードで動作する。
すなわち、制御装置は、利用者による設定入力により、第２のシンプルモードに応じたモード選択情報を取得する。この後、制御装置は、モード選択情報に基づいて、所定の制御指令を複数の表示装置に出力する。
各表示装置は、制御装置からの制御指令に応じて、複数の信号入力系統のうちストレージ入力系統を選択する。そして、選択されたストレージ入力系統を介して、ストレージデバイスに記憶された画像情報が第２のデジタル信号として入力される。この後、各表示装置は、入力した第２のデジタル信号（画像情報）に復号処理等を施し、制御装置からの制御指令に応じて入力した画像情報に対して上述した画像処理（部分画像情報生成処理および画像補正処理の双方、または画像補正処理のみ）を施す。そして、各表示装置は、画像処理を施した部分画像情報に基づく部分画像を表示部に表示する。
【００２０】
以上のような構成では、上述した描画装置等を用いる必要がなく、すなわち、描画装置等の電源を投入する必要がないので、消費電力面において低コストにマルチディスプレイシステムを運用できる。したがって、複数の表示モードのうち第２のシンプルモードを選択することで、少リソースでマルチディスプレイシステムを運用する場合にマルチディスプレイシステムを最適に動作させることができる。
また、画像情報がデジタル信号として各表示装置に入力されるので、アナログビデオ信号のようなケーブルの引き回しによる信号劣化を回避できる。
さらに、各表示装置、ストレージデバイス、および制御装置のみで実現できるので、コンテンツの入れ替えを頻繁に行う必要がない用途であればさらに低コストにマルチディスプレイシステムを運用できる。
【００２１】
本発明の表示方法は、一画面の原画像の少なくとも一部を構成する部分画像を表示する複数の表示装置と、前記複数の表示装置を制御する制御装置とを備え、前記複数の表示装置が表示する各部分画像によって前記原画像を表示するマルチディスプレイシステムを利用した表示方法であって、前記制御装置が、前記マルチディスプレイシステムの用途に応じた複数の表示モードのうちいずれかの表示モードを選択する旨のモード選択情報を取得するモード選択情報取得ステップと、前記モード選択情報に基づいて、前記複数の表示装置に制御指令を出力する制御指令出力ステップとを実行し、前記表示装置が、前記制御装置からの制御指令に応じて、前記複数の信号入力系統のうち前記選択された表示モードに対応した信号入力系統を選択する入力系統選択ステップと、選択した前記信号入力系統を介して、前記原画像または前記部分画像に関する画像情報を入力する画像情報入力ステップと、入力した前記画像情報に対して所定の画像処理を施して表示部に前記選択された表示モードで部分画像を表示する表示ステップとを実行することを特徴とする。
本発明の表示方法は、上述したマルチディスプレイシステムによって実施されるものであるので、上述したマルチディスプレイシステムと同様の作用および効果を享受できる。
【発明を実施するための最良の形態】
【００２２】
以下、本発明の実施の一形態を図面に基づいて説明する。
〔マルチディスプレイシステムの全体構成〕
図１は、マルチディスプレイシステム１の構成を示す図である。
マルチディスプレイシステム１は、当該マルチディスプレイシステム１の用途に応じた複数の表示モードで、大画面の画像（原画像）をそれぞれタイリング表示可能とするシステムである。このマルチディスプレイシステム１は、図１に示すように、画像出力装置２と、表示装置としての複数のプロジェクタ３（本実施形態では、縦方向２台×横方向２台（「２×２」）の４台のプロジェクタ３Ａ，３Ｂ，３Ｃ，３Ｄ）と、制御装置としての制御用ＰＣ４と、複数の描画装置５（本実施形態では、プロジェクタ３が４台であるため４台）とで大略構成される。
【００２３】
画像出力装置２は、マルチディスプレイシステム１を利用して、画像（原画像）を表示させるための原画像に関する原画像データ（原画像情報）を第１のビデオ信号として出力する装置である。この画像出力装置２としては、種々の機器を用いることができ、例えば、パーソナルコンピュータ、テレビジョンチューナ、ＤＶＤプレーヤ等が例示できる。
また、この画像出力装置２は、画像信号分配器２Ａを介して、各プロジェクタ３と接続している。
この画像信号分配器２Ａは、画像出力装置２と信号線Ｓ１を介して接続し、画像出力装置２から出力され信号線Ｓ１を介して入力した第１のビデオ信号を各プロジェクタ３に並列に出力する装置である。この画像信号分配器２Ａとしては、例えば、画像出力装置２から出力された第１のビデオ信号を、信号レベルを保持するためのビデオバッファアンプを介して各プロジェクタ３に並列に出力する汎用の画像信号分配器を用いることができる。
すなわち、画像出力装置２および画像信号分配器２Ａが、本発明に係る画像信号出力装置に相当する。
【００２４】
図２は、各プロジェクタ３から拡大投射された各部分画像によって原画像をタイリング表示する様子を示す図である。
図３は、プロジェクタ３の構成を示すブロック図である。
各プロジェクタ３は、入力した原画像または部分画像に関する画像データ（画像情報）に対して所定の画像処理を施し、画像処理を施した画像情報に基づいて、光源から射出された光束を光学的に処理して画像光（部分画像）を形成し、スクリーンＳｃ（図２）に拡大投射する。
ここで、スクリーンＳｃは、具体的な図示は省略するが、本実施形態では、入射した画像光を透過して投影する透過型スクリーンを採用している。なお、スクリーンＳｃとしては、入射した画像光を反射して投影する反射型スクリーンで構成しても構わない。
【００２５】
そして、本実施形態では、４つのプロジェクタ３Ａ〜３Ｄのうち、プロジェクタ３Ａは、図２に示すように、スクリーンＳｃを背面側（視聴者側とは反対側）から見て左上部分に画像光（部分画像）を拡大投射するように配置されている。プロジェクタ３Ｂは、図２に示すように、スクリーンＳｃを背面側から見て右上部分に画像光（部分画像）を拡大投射するように配置されている。プロジェクタ３Ｃは、図２に示すように、スクリーンＳｃを背面側から見て左下部分に画像光（部分画像）を拡大投射するように配置されている。プロジェクタ３Ｄは、図２に示すように、スクリーンＳｃを背面側から見て右下部分に画像光（部分画像）を拡大投射するように配置されている。
なお、本実施形態では、図２に示すように、各プロジェクタ３Ａ〜３Ｄから拡大投射された画像光（部分画像）が重なり合うことなく各画像光によって原画像を構成するものとしている。
また、本実施形態では、４つのプロジェクタ３Ａ〜３Ｄの構成は同一の構成とし、以下では、１つのみのプロジェクタ３を説明する。このプロジェクタ３は、図３に示すように、表示部としての画像投射部３１と、主制御装置３２とで大略構成されている。
【００２６】
画像投射部３１は、主制御装置３２による制御の下、画像光を形成してスクリーンＳｃに拡大投射する。この画像投射部３１は、図３に示すように、光源装置３１１と、光変調素子としての液晶ライトバルブ３１２と、投射光学系３１３等を備える。
光源装置３１１は、主制御装置３２による制御の下、光束を液晶ライトバルブ３１２に向けて射出する。この光源装置３１１は、光源ランプ３１１１と、光源駆動部３１１２とを備える。
【００２７】
光源ランプ３１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種自己発光素子を採用してもよい。
光源駆動部３１１２は、主制御装置３２による制御の下、所定の駆動電圧で光源ランプ３１１１を駆動する。
【００２８】
液晶ライトバルブ３１２は、透過型の液晶パネルであり、主制御装置３２からの駆動信号に基づいて、液晶セル（図示略）に封入された液晶分子の配列を変化させ、光源ランプ３１１１から射出された光束を、透過若しくは遮断することにより駆動信号に応じた画像光を投射光学系３１３に射出する。
投射光学系３１３は、液晶ライトバルブ３１２から射出された画像光をスクリーンＳｃに向けて拡大投射する。
【００２９】
なお、図示は省略したが、プロジェクタ３は、ＲＧＢの３色に対応する３枚の液晶ライトバルブ３１２を備えている。また、光源装置３１１は、光源光を３色の光に分離する色分離光学系を備えている。さらに、投射光学系３１３は、３色の画像光を合成してカラー画像を表す画像光を生成する色合成光学系を有している。なお、このような光学系の構成については、種々の一般的なプロジェクタの光学系の構成が利用可能である。
【００３０】
主制御装置３２は、ＣＰＵ(Central Processing Unit)等の主制御部３２４を含んで構成され、制御用ＰＣ４からの制御指令やメモリ３２５に記憶された制御プログラムにしたがって、プロジェクタ３全体を制御する。この主制御装置３２は、主制御部３２４およびメモリ３２５の他、複数の信号入力系統３２１と、入力系統選択部３２２と、表示制御部３２３等を備える。
【００３１】
複数の信号入力系統３２１は、入力される信号の形式に応じてそれぞれ設定され、ビデオ信号やデジタル信号を入力する部分である。これら信号入力系統３２１は、図３に示すように、第１のビデオ信号入力系統３２１Ａと、第２のビデオ信号入力系統３２１Ｂと、ネットワーク入力系統３２１Ｃと、ストレージ入力系統３２１Ｄとを備える。
第１のビデオ信号入力系統３２１Ａは、第１のビデオ信号としてのコンポーネント信号、Ｓ信号、コンポジット信号、アナログＲＧＢ信号、デジタル信号等を入力する部分であり、図３に示すように、第１のビデオ信号入力端子３２１１Ａと、第１のビデオ信号入力端子３２１１Ａを介して入力した第１のビデオ信号に対して所定の信号処理を施して出力する第１のビデオ信号入力部３２１２Ａとを備える。
ここで、第１のビデオ信号入力端子３２１１Ａとしては、種々の一般的なプロジェクタに設けられる端子が例示でき、例えば、コンピュータ／コンポーネントビデオ端子(Dsub端子等)、Ｓ-ビデオ端子(Ｄ端子等)、ビデオ入力端子(１ＲＣＡ端子、３ＲＣＡ端子、５ＲＣＡ端子等)、ＤＶＩ端子等を採用できる。そして、本実施形態では、各プロジェクタ３の各第１のビデオ信号入力端子３２１１Ａは、画像信号分配器２Ａと信号線Ｓ２〜Ｓ５（図１）を介してそれぞれ接続している。
また、第１のビデオ信号入力部３２１２Ａは、コンポーネント信号やアナログＲＧＢ信
号に対してはＡ／Ｄ変換処理等を施しデジタル信号として出力し、Ｓ信号またはコンポジット信号の場合はコンポーネント信号に変換してからＡ／Ｄ変換処理等を施しデジタル信号として出力し、デジタル信号に対しては該規格に対応した信号処理（復号処理）を施して出力する。
【００３２】
第２のビデオ信号入力系統３２１Ｂは、第２のビデオ信号としてのアナログＲＧＢ信号、デジタル信号等を入力する部分であり、図３に示すように、第２のビデオ信号入力端子３２１１Ｂと、第２のビデオ信号入力端子３２１１Ｂを介して入力した第２のビデオ信号に対して所定の信号処理を施して出力する第２のビデオ信号入力部３２１２Ｂとを備える。
ここで、第２のビデオ信号入力端子３２１１Ｂとしては、種々の一般的なプロジェクタに設けられる端子が例示でき、例えば、コンピュータ／コンポーネントビデオ端子(Dsub端子等)、ＤＶＩ端子等を採用できる。そして、本実施形態では、各プロジェクタ３の各第２のビデオ信号入力端子３２１１Ｂは、各描画装置５と信号線Ｓ６〜Ｓ９（図１）を介してそれぞれ接続している。
また、第２のビデオ信号入力部３２１２Ｂは、アナログＲＧＢ信号に対してはＡ／Ｄ変換処理等を施しデジタル信号として出力し、デジタル信号に対しては該規格に対応した信号処理（復号処理）を施して出力する。
【００３３】
ネットワーク入力系統３２１Ｃは、ネットワークＮ１（図１）を介して、デジタル信号を入力する部分であり、図３に示すように、ネットワーク入力端子３２１１Ｃと、ネットワーク入力端子３２１１Ｃを介して入力したデジタル信号に対してネットワーク規格に対応した信号処理（復号処理）を施して出力するネットワーク入力部３２１２Ｃとを備える。
ここで、ネットワーク入力端子３２１１Ｃとしては、種々の一般的なプロジェクタに設けられる端子が例示でき、例えば、ＬＡＮケーブルと接続するための１００BASE-T/１０BASE-T端子や、ＬＡＮカード等を着脱可能とするカードスロット等を採用できる。そして、本実施形態では、各プロジェクタ３の各ネットワーク入力端子３２１１Ｃは、ネットワークＮ１（第１のハブ４ＡおよびＬＡＮケーブル等の信号線Ｓ１０〜Ｓ１４（図１））を介して制御用ＰＣ４にそれぞれ接続している。
なお、ネットワーク入力部３２１２Ｃは、図３に示すように、主制御部３２４と所定の情報を伝送可能に接続している。すなわち、ネットワーク入力部３２１２Ｃは、制御用ＰＣ４からネットワークＮ１を介して送信された制御指令を入力した場合には、信号処理を施して主制御部３２４に出力するように構成されている。
【００３４】
ストレージ入力系統３２１Ｄは、外部のストレージデバイスに記憶された画像データ（原画像に関する原画像データ（原画像情報）、または部分画像に関する部分画像データ（部分画像情報））を入力する部分であり、図３に示すように、ストレージ入力端子３２１１Ｄと、ストレージ入力端子３２１１Ｄを介して入力したデジタル信号に対してインターフェース規格(例えば、ＵＳＢ規格)に対応した信号処理（復号処理）を施して出力するストレージ入力部３２１２Ｄとを備える。
ここで、ストレージ入力端子３２１１Ｄとしては、種々の一般的なプロジェクタに設けられる端子が例示でき、例えば、ストレージデバイスであるＵＳＢに対応したハードディスクやＵＳＢメモリと接続するためのＵＳＢ端子等を採用できる。そして、本実施形態では、各プロジェクタ３の各ストレージ入力端子３２１１Ｄは、原画像データまたは部分画像データを記憶したストレージデバイスとしてのＵＳＢメモリ６（図１）をそれぞれ接続可能としている。
【００３５】
入力系統選択部３２２は、主制御部３２４からの制御信号に応じて、複数の信号入力系統３２１のうちいずれかの信号入力系統を選択し、選択した信号入力系統を介して、信号
を入力させる。
表示制御部３２３は、主制御部３２４からの制御信号に応じて、液晶ライトバルブ３１２の駆動制御を実施する部分である。より具体的に、表示制御部３２３は、入力系統選択部３２２にて選択された信号入力系統３２１を介して入力したデジタル信号（原画像に関する原画像データ（原画像情報）、または部分画像に関する部分画像データ（部分画像情報））に対して所定の処理を施し、処理を施した画像データに応じた駆動信号を液晶ライトバルブ３１２に出力することで画像光（部分画像）を液晶ライトバルブ３１２に形成させる。この表示制御部３２３は、図３に示すように、画像データ処理部３２３１と、パネル駆動部３２３２等を備える。
【００３６】
画像データ処理部３２３１は、主制御部３２４からの制御信号に応じて、信号入力系統３２１を介して入力したデジタル信号（原画像データ）から部分画像データを生成する部分画像データ生成処理、および、生成した部分画像データ、または、信号入力系統３２１を介して入力したデジタル信号（部分画像データ）に対してガンマ補正等適宜必要な画像データ補正処理等の各種の画像データ処理を実施する。この画像データ処理部３２３１は、図３に示すように、部分画像情報生成部３２３１Ａと、画像補正部３２３１Ｂ等を備える。なお、具体的な図示は省略したが、画像データ処理部３２３１は、上述した画像データ処理を実施する際の記憶領域として図示しない画像データ記憶部を有している。この画像データ記憶部は、入力した画像データをバッファリングする部分であり、例えば、１画面分の画像データを全て記憶するフレームバッファや、水平方向の１ライン分の走査データを記憶するラインバッファ等を採用できる。
【００３７】
部分画像情報生成部３２３１Ａは、主制御部３２４からの制御信号に応じて、原画像データから所定領域の画像データを切り出す画像データ切出処理と、切り出された所定領域の画像データの画像サイズを変換する画像サイズ変換処理とを実施して、部分画像データを生成する（部分画像データ生成処理）。
画像補正部３２３１Ｂは、部分画像情報生成部３２３１Ａにて生成された部分画像データ、または、信号入力系統３２１を介して入力した部分画像データに対して、メモリ３２５に記憶された画像補正パラメータを用いて、ガンマ補正等適宜必要な画像データ補正処理を実施する。
【００３８】
パネル駆動部３２３２は、画像データ処理部３２３１にて処理された部分画像データから液晶ライトバルブ３１２を駆動するための駆動信号を生成し、液晶ライトバルブ３１２に駆動信号を出力することで、液晶ライトバルブ３１２に部分画像（画像光）を形成させる。
【００３９】
図４は、制御用ＰＣ４の構成を示すブロック図である。
制御用ＰＣ４は、ＣＰＵやハードディスク等を備えた一般的なパーソナルコンピュータで構成され、ネットワークＮ１，Ｎ２を介して各プロジェクタ３や描画装置５を制御するとともに、ネットワークＮ１，Ｎ２を介して各プロジェクタ３や描画装置５に原画像データ（原画像情報）や部分画像データ（部分画像情報）を供給する。この制御用ＰＣ４は、図４に示すように、操作部４１と、表示部４２と、ＰＣ本体４３等を備える。
操作部４１は、例えば、キーボードやマウス等で入力操作される各種操作ボタンを有している。この操作ボタンの入力操作を実施することにより、ＰＣ本体４３を適宜動作させるとともに、例えば、表示部４２に表示される情報に対して、ＰＣ本体４３の動作内容の設定等が実施される。また、本実施形態では、操作部４１における操作ボタンの入力操作を実施することにより、マルチディスプレイシステム１の用途に応じた種々の表示モード（リアルタイムモード、ハイパフォーマンス(Whole)モード、ハイパフォーマンス(Partial)モード、第１のシンプル(Whole)モード、第１のシンプル(Partial)モード、第２のシンプル(Whole)モード、第２のシンプル(Partial)モード）を選択可能に構成されている。そ
して、マルチディスプレイシステム１を利用する利用者による操作部４１の入力操作により、操作部４１から適宜所定の操作信号（モード選択情報）をＰＣ本体４３に出力する。
なお、この操作部４１としては、操作ボタンの入力操作に限らず、例えば、タッチパネルによる入力操作や、音声による入力操作等により、各種条件を設定入力する構成としてもできる。
【００４０】
表示部４２は、ＰＣ本体４３に制御され、所定の情報を表示する。例えば、マルチディスプレイシステム１を利用して表示する原画像やＰＣ本体４３にて処理された情報の表示、または、操作部４１の入力操作により、ＰＣ本体４３のメモリに格納する情報を設定入力または更新する際、ＰＣ本体４３から出力されるメモリ内のデータを適宜表示させる。この表示部４２は、例えば、液晶や有機ＥＬ、ＰＤＰ(Plasma Display Panel)、ＣＲＴ(Cathode-Ray Tube)等が用いられる。
【００４１】
ＰＣ本体４３は、図４に示すように、ＣＰＵ４３１を含んで構成され、操作部４１からの操作信号の入力に応じてメモリ４３２に記憶された制御プログラムを実行する。
より具体的に、ＰＣ本体４３は、ネットワークＮ１，Ｎ２にネットワークインターフェース（図示略）により接続し、操作部４１からの操作信号（モード選択情報）の入力に応じて、ネットワークＮ１，Ｎ２を介して、所定の制御指令や、原画像データまたは部分画像データを送信する。
そして、制御用ＰＣ４から送信された制御指令や原画像データまたは部分画像データは、ネットワークＮ１（第１のハブ４Ａ、各信号線Ｓ１０〜Ｓ１４）を介して各プロジェクタ３にそれぞれ送信される。また、制御用ＰＣ４から送信された制御指令や原画像データまたは部分画像データは、ネットワークＮ２（第２のハブ４Ｂ、各信号線Ｓ１５〜Ｓ１９）を介して各描画装置５にそれぞれ送信される。
【００４２】
図５は、描画装置５の構成を示すブロック図である。
各描画装置５は、制御用ＰＣ４と同様にパーソナルコンピュータで構成され、ネットワークＮ２にネットワークインターフェース（図示略）により接続し、ネットワークＮ２を介して制御用ＰＣ４から制御指令や原画像データまたは部分画像データを受信する。また、各描画装置５は、図５に示すように、ＣＰＵ５１を含んで構成され、制御用ＰＣ４から送信された制御指令に応じてＣＰＵ５１がメモリ５２に記憶された制御プログラムを実行し、制御用ＰＣ４から送信された原画像データまたは部分画像データに対して画像データ処理部５３が所定の画像データ処理を実施して、各信号線Ｓ６〜Ｓ９を介して第２のビデオ信号として各プロジェクタ３に出力する。
【００４３】
ここで、画像データ処理部５３は、例えば、ＧＰＵ(Graphics Processor Unit)等を含んで構成され、ＣＰＵ５１からの制御信号に応じて、ネットワークＮ２を介して受信した原画像データから部分画像データを生成する部分画像データ生成処理、および、生成した部分画像データ、または、ネットワークＮ２を介して受信した部分画像データに対して後述する画像データ補正処理等の各種の画像データ処理を実施する。この画像データ処理部５３は、図５に示すように、部分画像情報生成部５３１と、画像補正部５３２等を備える。なお、具体的な図示は省略したが、画像データ処理部５３は、上述した画像データ処理を実施する際の記憶領域として図示しない画像データ記憶部を有している。この画像データ記憶部は、入力した画像データをバッファリングする部分であり、例えば、１画面分の画像データを全て記憶するフレームバッファや、水平方向の１ライン分の走査データを記憶するラインバッファ等を採用できる。
【００４４】
部分画像情報生成部５３１は、ＣＰＵ５１からの制御信号に応じて、原画像データから所定領域の画像データを切り出す画像データ切出処理と、切り出された所定領域の画像データの画像サイズを変換する画像サイズ変換処理とを実施して、部分画像データを生成す
る（部分画像データ生成処理）。
画像補正部５３２は、部分画像情報生成部５３１にて生成された部分画像データ、または、ネットワークＮ２を介して受信した部分画像データに対して、メモリ５２に記憶された画像補正パラメータを用いて、画素の色、輝度、解像度等を変換する画像データ補正処理を実施する。
そして、各描画装置５は、画像データ処理部５３にて画像データ処理が実施された部分画像データを、第２のビデオ信号として、各信号線Ｓ６〜Ｓ９を介して各プロジェクタ３に出力する。
【００４５】
〔マルチディスプレイシステムの動作（表示方法）〕
次に、上述したマルチディスプレイシステム１の動作について図面を参照して説明する。
なお、以下では、マルチディスプレイシステム１の用途に応じた種々の表示モード毎に、すなわち、リアルタイムモード、ハイパフォーマンス(Whole)モード、ハイパフォーマンス(Partial)モード、第１のシンプル(Whole)モード、第１のシンプル(Partial)モード、第２のシンプル(Whole)モード、第２のシンプル(Partial)モードを順に説明する。また、各表示モードにおいて、同様の動作については、同一の符号を付して説明を簡略化する。
【００４６】
〔リアルタイムモード〕
図６は、リアルタイムモードでのマルチディスプレイシステム１の動作を説明するフローチャートである。
なお、以下では、例えば、利用者がノートＰＣ等を用いてプレゼンテーションを実施する場合を想定し、画像出力装置２として前記ノートＰＣを用いているものとする。そして、前記ノートＰＣから信号線Ｓ１を介して出力された第１のビデオ信号（例えば、アナログＲＧＢ信号）は、画像信号分配器２Ａおよび各信号線Ｓ２〜Ｓ５を介して各プロジェクタ３に並列に分配されて供給されているものとする。
【００４７】
先ず、利用者による制御用ＰＣ４の操作部４１への「リアルタイムモード」を選択する入力操作により、操作部４１からＰＣ本体４３に所定の操作信号が出力される。そして、ＰＣ本体４３は、操作信号（モード選択情報）を入力すると（ステップＳＴ１００：モード選択情報取得ステップ）、該操作信号に応じて、メモリ４３２に記憶された制御プログラムを実行し、ネットワークＮ１を介して制御指令を送信する（ステップＳＴ１０１：制御指令出力ステップ）。
ここで、前記制御指令としては、以下の通りである。
すなわち、前記制御指令としては、各プロジェクタ３の各入力系統選択部３２２に複数の信号入力系統３２１のうち第１のビデオ信号入力系統３２１Ａを選択させる旨の制御指令、および、各プロジェクタ３の表示制御部３２３に画像データ処理（部分画像データ生成処理、画像データ補正処理）や表示制御を実施させる旨の制御指令である。
また、前記制御指令としては、各プロジェクタ３の各部分画像情報生成部３２３１Ａが部分画像データを生成する際に用いる各処理条件パラメータを含むものである。
なお、各処理条件パラメータは、プロジェクタ３毎に異なるものである。このため、制御用ＰＣ４は、例えば、ネットワークＮ１としてのＬＡＮ上において、各プロジェクタ３に割り振られたＩＰ(Internet Protocol)アドレスに基づいて、各処理条件パラメータを各プロジェクタ３にそれぞれ送信する。
【００４８】
ステップＳＴ１０１の後、各プロジェクタ３は、ネットワークＮ１を介して送信された制御指令を、ネットワーク入力系統３２１Ｃにて受信する（ステップＳＴ１０２）。また、ネットワーク入力部３２１２Ｃは、受信した制御指令に所定の信号処理を施して主制御部３２４に出力する。さらに、主制御部３２４は、入力した制御指令に応じた制御信号を
、入力系統選択部３２２および表示制御部３２３に出力する。そして、入力系統選択部３２２および表示制御部３２３は、入力した制御信号に応じて、それぞれ以下の処理を実行する。
すなわち、入力系統選択部３２２は、複数の信号入力系統３２１のうち第１のビデオ信号入力系統３２１Ａを選択する（ステップＳＴ１０３：入力系統選択ステップ）。
ステップＳＴ１０３の後、各プロジェクタ３において、前記ノートＰＣから供給された第１のビデオ信号（例えば、アナログＲＧＢ信号）は、第１のビデオ信号入力系統３２１Ａを介して入力され、デジタル信号（原画像データ）に変換される（ステップＳＴ１０４：画像情報入力ステップ）。
【００４９】
ステップＳＴ１０４の後、部分画像情報生成部３２３１Ａは、ネットワークＮ１を介して送信された制御指令に含まれる処理条件パラメータを用いて、第１のビデオ信号入力系統３２１Ａから出力された原画像データに対して、画像データ切出処理（ステップＳＴ１０５Ａ）、および画像サイズ変換処理（ステップＳＴ１０５Ｂ）を実施して、部分画像データを生成する（ステップＳＴ１０５）。
【００５０】
図７は、部分画像情報生成部３２３１Ａにて実施される部分画像データ生成処理を示す図である。
ここで、処理条件パラメータとしては、図７に示すように、原画像データにおける部分画像データの範囲の始点位置に関する始点座標と、拡大率とで構成された情報が例示できる。なお、始点座標は、切出開始位置として、例えば、切り出す矩形領域の左上部を指定するための座標Ｐ（例えば、Ｐ１，Ｐ２，Ｐ３，Ｐ４）である。また、拡大率は、切り出された画像データの拡大率を定めるもので、図７に示すように、原画像データＤ０の水平解像度をＷ、垂直解像度をＨ、切り出す矩形領域の水平解像度をｗ、垂直解像度をｈとすると、拡大率Ｚは、Ｚ＝Ｗ／ｗ＝Ｈ／ｈと表すことができる。なお、本実施形態では、原画像データのアスペクト比と、切り出す矩形領域のアスペクト比とが同一であるものとしている。また、拡大率Ｚ（Ｚ１，Ｚ２，Ｚ３，Ｚ４）＝２としている。
【００５１】
より具体的に、プロジェクタ３Ａの部分画像情報生成部３２３１Ａは、以下に示すように、ステップＳＴ１０５を実施することで、部分画像データＤ１（図７）を生成する。
すなわち、ステップＳＴ１０５Ａにおいて、部分画像情報生成部３２３１Ａは、ネットワークＮ１を介して送信された制御指令に含まれる処理条件パラメータである始点座標Ｐ１（０、０）、および拡大率Ｚ１に基づいて、終点座標Ｑ１（Ｗ／２、Ｈ／２）を算出する。そして、部分画像情報生成部３２３１Ａは、原画像データＤ０から読み出した始点座標Ｐ１、および算出した終点座標Ｑ１で設定される切出範囲の画像データＤ１Ａを切り出す。この後、ステップＳＴ１０５Ｂにおいて、部分画像情報生成部３２３１Ａは、切り出した画像データＤ１Ａに対して、拡大率Ｚ１で拡大を実施することで、部分画像データＤ１を生成する。
【００５２】
また、プロジェクタ３Ｂの部分画像情報生成部３２３１Ａは、以下に示すように、ステップＳＴ１０５を実施することで、部分画像データＤ２（図７）を生成する。
すなわち、ステップＳＴ１０５Ａにおいて、部分画像情報生成部３２３１Ａは、ネットワークＮ１を介して送信された制御指令に含まれる処理条件パラメータである始点座標Ｐ２（Ｗ／２、０）、および拡大率Ｚ２（図７）に基づいて、終点座標Ｑ２（Ｗ、Ｈ／２）を算出する。そして、部分画像情報生成部３２３１Ａは、原画像データＤ０から読み出した始点座標Ｐ２、および算出した終点座標Ｑ２で設定される切出範囲の画像データＤ２Ａを切り出す。この後、ステップＳＴ１０５Ｂにおいて、部分画像情報生成部３２３１Ａは、切り出した画像データＤ２Ａに対して、拡大率Ｚ２で拡大を実施することで、部分画像データＤ２を生成する。
【００５３】
また、プロジェクタ３Ｃの部分画像情報生成部３２３１Ａは、以下に示すように、ステップＳＴ１０５を実施することで、部分画像データＤ３（図７）を生成する。
すなわち、ステップＳＴ１０５Ａにおいて、部分画像情報生成部３２３１Ａは、ネットワークＮ１を介して送信された制御指令に含まれる処理条件パラメータである始点座標Ｐ３（０、Ｈ／２）、および拡大率Ｚ３（図７）に基づいて、終点座標Ｑ３（Ｗ／２、Ｈ）を算出する。そして、部分画像情報生成部３２３１Ａは、原画像データＤ０から読み出した始点座標Ｐ３、および算出した終点座標Ｑ３で設定される切出範囲の画像データＤ３Ａを切り出す。この後、ステップＳＴ１０５Ｂにおいて、部分画像情報生成部３２３１Ａは、切り出した画像データＤ３Ａに対して、拡大率Ｚ３で拡大を実施することで、部分画像データＤ３を生成する。
【００５４】
また、プロジェクタ３Ｄの部分画像情報生成部３２３１Ａは、以下に示すように、ステップＳＴ１０５を実施することで、部分画像データＤ４（図７）を生成する。
すなわち、ステップＳＴ１０４Ａにおいて、部分画像情報生成部３２３１Ａは、ネットワークＮ１を介して送信された制御指令に含まれる処理条件パラメータである始点座標Ｐ４（Ｗ／２、Ｈ／２）、および拡大率Ｚ４（図７）に基づいて、終点座標Ｑ４（Ｗ、Ｈ）を算出する。そして、部分画像情報生成部３２３１Ａは、原画像データＤ０から読み出した始点座標Ｐ４、および算出した終点座標Ｑ４で設定される切出範囲の画像データＤ４Ａを切り出す。この後、ステップＳＴ１０５Ｂにおいて、部分画像情報生成部３２３１Ａは、切り出した画像データＤ４Ａに対して、拡大率Ｚ４で拡大を実施することで、部分画像データＤ４を生成する。
【００５５】
ステップＳＴ１０５の後、画像補正部３２３１Ｂは、生成された部分画像データＤ１〜Ｄ４に対して、ガンマ補正等の画像データ補正処理を実施する（ステップＳＴ１０６）。
ステップＳＴ１０６の後、パネル駆動部３２３２は、画像データ補正処理が実施された部分画像データＤ１〜Ｄ４に応じて駆動信号を生成し、液晶ライトバルブ３１２に出力し、液晶ライトバルブ３１２に部分画像データＤ１〜Ｄ４に応じた各部分画像を形成させる。そして、各プロジェクタ３Ａ〜３Ｄから各部分画像が拡大投射されスクリーンＳｃ上に投影されることで、原画像データＤ０に応じた原画像が表示される（ステップＳＴ１０７：表示ステップ）。
【００５６】
〔ハイパフォーマンス(Whole)モード〕
図８は、ハイパフォーマンス(Whole)モードでのマルチディスプレイシステム１の動作を説明するフローチャートである。
なお、以下では、制御用ＰＣ４は、図示しないハードディスク等の記憶装置やＤＶＤ等の記録媒体等に記憶された原画像データＤ０を読み出して用いるものとする。
【００５７】
先ず、利用者による制御用ＰＣ４の操作部４１への「ハイパフォーマンス(Whole)モード」を選択する入力操作により、操作部４１からＰＣ本体４３に所定の操作信号が出力される。そして、ＰＣ本体４３は、操作信号（モード選択情報）を入力すると（ステップＳＴ２００：モード選択情報取得ステップ）、該操作信号に応じて、メモリ４３２に記憶された制御プログラムを実行し、ネットワークＮ２を介して第１の制御指令および前記記憶装置や前記記録媒体から読み出した原画像データＤ０を送信する（ステップＳＴ２０１）とともに、ネットワークＮ１を介して第２の制御指令を送信する（ステップＳＴ２０２：制御指令出力ステップ）。
ここで、前記第１の制御指令としては、以下の通りである。
すなわち、前記第１の制御指令としては、各描画装置５に画像データ処理（部分画像データ生成処理、画像データ補正処理）を実施させる旨の制御指令の他、各描画装置５の各部分画像情報生成部５３１が部分画像データを生成する際に用いる各処理条件パラメータを含むものである。
なお、各処理条件パラメータは、描画装置５毎に異なるものである。このため、制御用ＰＣ４は、例えば、ネットワークＮ２としてのＬＡＮ上において、各描画装置５に割り振られたＩＰ（Internet Protocol）アドレスに基づいて、各処理条件パラメータを各描画装置５にそれぞれ送信する。
また、前記第２の制御指令としては、以下の通りである。
すなわち、前記第２の制御指令としては、各プロジェクタ３の各入力系統選択部３２２に複数の信号入力系統３２１のうち第２のビデオ信号入力系統３２１Ｂを選択させる旨の制御指令、および各プロジェクタ３の各表示制御部３２３に画像データ処理（画像データ補正処理）や表示制御を実施させる旨の制御指令である。
【００５８】
ステップＳＴ２０１の後、各描画装置５は、ネットワークＮ２を介して送信された第１の制御指令および原画像データを受信する（ステップＳＴ２０３）。そして、ＣＰＵ５１は、入力した制御指令に応じた制御信号を画像データ処理部５３に出力する。画像データ処理部５３は、入力した制御信号に応じて、以下の処理を実行する。
すなわち、部分画像情報生成部５３１は、ネットワークＮ２を介して送信された第１の制御指令に含まれる処理条件パラメータを用いて、受信した原画像データＤ０に対して、上述したステップＳＴ１０５と同様に、画像データ切出処理（ステップＳＴ２０４Ａ）、および画像サイズ変換処理（ステップＳＴ２０４Ｂ）を実施して、部分画像データＤ１〜Ｄ４を生成する（ステップＳＴ２０４）。
【００５９】
ステップＳＴ２０４の後、画像補正部５３２は、生成された部分画像データＤ１〜Ｄ４に対して、画素の色、輝度、解像度等を変換する画像データ補正処理を実施する（ステップＳＴ２０５）。
ステップＳＴ２０５の後、各描画装置５は、画像データ処理が実施された部分画像データＤ１〜Ｄ４を、第２のビデオ信号（例えば、アナログＲＧＢ信号）として、各信号線Ｓ６〜Ｓ９を介して各プロジェクタ３に出力する（ステップＳＴ２０６）。
【００６０】
ステップＳＴ２０２の後、各プロジェクタ３は、ネットワークＮ１を介して送信された第２の制御指令を、ネットワーク入力系統３２１Ｃにて受信する（ステップＳＴ２０７）。また、ネットワーク入力部３２１２Ｃは、受信した制御指令に所定の信号処理を施して主制御部３２４に出力する。さらに、主制御部３２４は、入力した制御指令に応じた制御信号を、入力系統選択部３２２および表示制御部３２３に出力する。そして、入力系統選択部３２２および表示制御部３２３は、入力した制御信号に応じて、それぞれ以下の処理を実行する。
すなわち、入力系統選択部３２２は、複数の信号入力系統３２１のうち第２のビデオ信号入力系統３２１Ｂを選択する（ステップＳＴ２０８：入力系統選択ステップ）。
ステップＳＴ２０８の後、各プロジェクタ３において、ステップＳＴ２０６にて各描画装置５から出力された第２のビデオ信号（例えば、アナログＲＧＢ信号）は、第２のビデオ信号入力系統３２１Ｂを介して入力され、デジタル信号（部分画像データ）に変換される（ステップＳＴ２０９：画像情報入力ステップ）。
【００６１】
ステップＳＴ２０９の後、画像補正部３２３１Ｂは、第２のビデオ信号入力系統３２１Ｂから出力された部分画像データＤ１〜Ｄ４に対して、ガンマ補正等の画像データ補正処理を実施する（ステップＳＴ２１０）。
ステップＳＴ２１０の後、パネル駆動部３２３２は、画像データ補正処理が実施された部分画像データＤ１〜Ｄ４に応じた駆動信号を生成し、液晶ライトバルブ３１２に出力し、液晶ライトバルブ３１２に部分画像データＤ１〜Ｄ４に応じた各部分画像を形成させる。そして、各プロジェクタ３Ａ〜３Ｄから各部分画像が拡大投射されスクリーンＳｃ上に投影されることで、原画像データＤ０に応じた原画像が表示される（ステップＳＴ２１１：表示ステップ）。
【００６２】
〔ハイパフォーマンス(Partial)モード〕
図９は、ハイパフォーマンス(Partial)モードでのマルチディスプレイシステム１の動作を説明するフローチャートである。
なお、以下では、制御用ＰＣ４は、図示しないハードディスク等の記憶装置やＤＶＤ等の記録媒体等に記憶された部分画像データＤ１〜Ｄ４を読み出して用いるものとする。
【００６３】
先ず、利用者による制御用ＰＣ４の操作部４１への「ハイパフォーマンス(Partial)モード」を選択する入力操作により、操作部４１からＰＣ本体４３に所定の操作信号が出力される。そして、ＰＣ本体４３は、操作信号（モード選択情報）を入力すると（ステップＳＴ３００：モード選択情報取得ステップ）、該操作信号に応じて、メモリ４３２に記憶された制御プログラムを実行し、ネットワークＮ２を介して第１の制御指令および前記記憶装置や前記記録媒体から読み出した部分画像データＤ１〜Ｄ４を送信する（ステップＳＴ３０１：制御指令出力ステップ）とともに、ネットワークＮ１を介して第２の制御指令を送信する（ステップＳＴ３０２）。
なお、各部分画像データＤ１〜Ｄ４は、上述したように各プロジェクタ３（各描画装置５）に対応してそれぞれ異なるものである。このため、制御用ＰＣ４は、例えば、ネットワークＮ２としてのＬＡＮ上において、各描画装置５に割り振られたＩＰ(Internet Protocol）アドレスに基づいて、各部分画像データＤ１〜Ｄ４を各描画装置５にそれぞれ送信する。
【００６４】
ここで、前記第１の制御指令としては、以下の通りである。
すなわち、前記第１の制御指令としては、各描画装置５に画像データ処理（画像データ補正処理）を実施させる旨の制御指令である。
また、前記第２の制御指令としては、以下の通りである。
すなわち、前記第２の制御指令としては、各プロジェクタ３の各入力系統選択部３２２に複数の信号入力系統３２１のうち第２のビデオ信号入力系統３２１Ｂを選択させる旨の制御指令、および各プロジェクタ３の各表示制御部３２３に画像データ処理（画像データ補正処理）や表示制御を実施させる旨の制御指令である。
【００６５】
ステップＳＴ３０１の後、各描画装置５は、ネットワークＮ２を介して送信された第１の制御指令および部分画像データＤ１〜Ｄ４を受信する（ステップＳＴ３０３）。そして、ＣＰＵ５１は、入力した制御指令に応じた制御信号を画像データ処理部５３に出力する。画像データ処理部５３は、入力した制御信号に応じて、以下の処理を実行する。
すなわち、画像補正部５３２は、ネットワークＮ２を介して受信した部分画像データＤ１〜Ｄ４に対して、画素の色、輝度、解像度等を変換する画像データ補正処理を実施する（ステップＳＴ３０４）。
ステップＳＴ３０４の後、各描画装置５は、画像データ処理が実施された部分画像データＤ１〜Ｄ４を、第２のビデオ信号（例えば、アナログＲＧＢ信号）として、各信号線Ｓ６〜Ｓ９を介して各プロジェクタ３に出力する（ステップＳＴ３０５）。
【００６６】
ステップＳＴ３０２の後、各プロジェクタ３においては、上述したハイパフォーマンス(Whole)モードでの動作と同様に、第２の制御指令の受信（ステップＳＴ２０７）、第２のビデオ信号入力系統３２１Ｂの選択（ステップＳＴ２０８）、第２のビデオ信号の入力（ステップＳＴ２０９）、およびガンマ補正等の画像データ補正処理（ステップＳＴ２１０）が実施され、部分画像データＤ１〜Ｄ４に応じた各部分画像が拡大投射されて原画像データＤ０に応じた原画像がスクリーンＳｃ上に表示される（ステップＳＴ２１１）。
【００６７】
〔第１のシンプル(Whole)モード〕
図１０は、第１のシンプル(Whole)モードでのマルチディスプレイシステム１の動作を
説明するフローチャートである。
なお、以下では、制御用ＰＣ４は、図示しないハードディスク等の記憶装置やＤＶＤ等の記録媒体等に記憶された原画像データＤ０を読み出して用いるものとする。
【００６８】
先ず、利用者による制御用ＰＣ４の操作部４１への「第１のシンプル(Whole)モード」を選択する入力操作により、操作部４１からＰＣ本体４３に所定の操作信号が出力される。そして、ＰＣ本体４３は、操作信号（モード選択情報）を入力すると（ステップＳＴ４００：モード選択情報取得ステップ）、該操作信号に応じて、メモリ４３２に記憶された制御プログラムを実行し、ネットワークＮ１を介して、制御指令を送信する（ステップＳＴ４０１：制御指令出力ステップ）とともに、前記記憶装置や前記記録媒体から読み出した原画像データＤ０を送信する（ステップＳＴ４０２）。
ここで、前記制御指令としては、以下の通りである。
すなわち、前記制御指令としては、各プロジェクタ３の各入力系統選択部３２２に複数の信号入力系統３２１のうちネットワーク入力系統３２１Ｃを選択させる旨の制御指令、および各プロジェクタ３の各表示制御部３２３に画像データ処理（部分画像データ生成処理、画像データ補正処理）や表示制御を実施させる旨の制御指令である。
また、前記制御指令としては、各プロジェクタ３の各部分画像情報生成部３２３１Ａが部分画像データを生成する際に用いる各処理条件パラメータを含むものである。
なお、各処理条件パラメータは、上述したようにプロジェクタ３毎に異なるものである。このため、制御用ＰＣ４は、例えば、ネットワークＮ１としてのＬＡＮ上において、各プロジェクタ３に割り振られたＩＰ(Internet Protocol)アドレスに基づいて、各処理条件パラメータを各プロジェクタ３にそれぞれ送信する。
【００６９】
ステップＳＴ４０１の後、各プロジェクタ３は、ネットワークＮ１を介して送信された制御指令を、ネットワーク入力系統３２１Ｃにて受信する（ステップＳＴ４０３）。また、ネットワーク入力部３２１２Ｃは、受信した制御指令に所定の信号処理を施して主制御部３２４に出力する。さらに、主制御部３２４は、入力した制御指令に応じた制御信号を、入力系統選択部３２２および表示制御部３２３に出力する。そして、入力系統選択部３２２および表示制御部３２３は、入力した制御信号に応じて、それぞれ以下の処理を実行する。
すなわち、入力系統選択部３２２は、複数の信号入力系統３２１のうちネットワーク入力系統３２１Ｃを選択する（ステップＳＴ４０４：入力系統選択ステップ）。
【００７０】
ステップＳＴ４０４の後、各プロジェクタ３において、ステップＳＴ４０２にてネットワークＮ１を介して送信された原画像データは、ネットワーク入力系統３２１Ｃを介して入力され、復号処理が施される（ステップＳＴ４０５：画像情報入力ステップ）。
ステップＳＴ４０５の後、部分画像情報生成部３２３１Ａは、ネットワークＮ１を介して送信された制御指令に含まれる処理条件パラメータを用いて、ネットワーク入力系統３２１Ｃを介して出力された原画像データＤ０に対して、上述したステップＳＴ１０５，ＳＴ２０４と同様に、画像データ切出処理（ステップＳＴ４０６Ａ）、および画像サイズ変換処理（ステップＳＴ４０６Ｂ）を実施して、部分画像データＤ１〜Ｄ４を生成する（ステップＳＴ４０６）。
【００７１】
ステップＳＴ４０６の後、各プロジェクタ３においては、上述したリアルタイムモードでの動作と同様に、生成した部分画像データＤ１〜Ｄ４に対してガンマ補正等の画像データ補正処理（ステップＳＴ１０６）が実施され、部分画像データＤ１〜Ｄ４に応じた各部分画像が拡大投射されて原画像データＤ０に応じた原画像がスクリーンＳｃ上に表示される（ステップＳＴ１０７）。
【００７２】
〔第１のシンプル(Partial)モード〕
図１１は、第１のシンプル(Partial)モードでのマルチディスプレイシステム１の動作を説明するフローチャートである。
なお、以下では、制御用ＰＣ４は、図示しないハードディスク等の記憶装置やＤＶＤ等の記録媒体等に記憶された部分画像データＤ１〜Ｄ４を読み出して用いるものとする。
【００７３】
先ず、利用者による制御用ＰＣ４の操作部４１への「第１のシンプル(Partial)モード」を選択する入力操作により、操作部４１からＰＣ本体４３に所定の操作信号が出力される。そして、ＰＣ本体４３は、操作信号（モード選択情報）を入力すると（ステップＳＴ５００：モード選択情報取得ステップ）、該操作信号に応じて、メモリ４３２に記憶された制御プログラムを実行し、ネットワークＮ１を介して、制御指令を送信する（ステップＳＴ５０１：制御指令出力ステップ）とともに、前記記憶装置や前記記録媒体から読み出した部分画像データＤ１〜Ｄ４を送信する（ステップＳＴ５０２）。
なお、各部分画像データＤ１〜Ｄ４は、上述したように各プロジェクタ３に対応してそれぞれ異なるものである。このため、制御用ＰＣ４は、例えば、ネットワークＮ１としてのＬＡＮ上において、各プロジェクタ３に割り振られたＩＰ(Internet Protocol)アドレスに基づいて、各部分画像データＤ１〜Ｄ４を各プロジェクタ３にそれぞれ送信する。
ここで、前記制御指令としては、以下の通りである。
すなわち、前記制御指令としては、各プロジェクタ３の各入力系統選択部３２２に複数の信号入力系統３２１のうちネットワーク入力系統３２１Ｃを選択させる旨の制御指令、および各プロジェクタ３の表示制御部３２３に画像データ処理（画像データ補正処理）や表示制御を実施させる旨の制御指令である。
【００７４】
ステップＳＴ５０１の後、各プロジェクタ３においては、上述した第１のシンプル(Whole)モードでの動作と同様に、制御指令の受信（ステップＳＴ４０３）、およびネットワーク入力系統３２１Ｃの選択（ステップＳＴ４０４）を実施する。
ステップＳＴ４０４の後、各プロジェクタ３において、ステップＳＴ５０２にてネットワークＮ１を介して送信された各部分画像データＤ１〜Ｄ４は、ネットワーク入力系統３２１Ｃを介して入力され、復号処理が施される（ステップＳＴ５０３：画像情報入力ステップ）。
ステップＳＴ５０３の後、画像補正部３２３１Ｂは、ネットワーク入力系統３２１Ｃから出力された部分画像データＤ１〜Ｄ４に対して、ガンマ補正等の画像データ補正処理を実施する（ステップＳＴ５０４）。
ステップＳＴ５０４の後、パネル駆動部３２３２は、画像データ補正処理が実施された部分画像データＤ１〜Ｄ４に応じた駆動信号を生成し、液晶ライトバルブ３１２に出力し、液晶ライトバルブ３１２に部分画像データＤ１〜Ｄ４に応じた各部分画像を形成させる。そして、各プロジェクタ３Ａ〜３Ｄから各部分画像が拡大投射されスクリーンＳｃ上に投影されることで、原画像データＤ０に応じた原画像が表示される（ステップＳＴ５０５：表示ステップ）。
【００７５】
〔第２のシンプル(Whole)モード〕
図１２は、第２のシンプル(Whole)モードでのマルチディスプレイシステム１の動作を説明するフローチャートである。
なお、以下では、各ＵＳＢメモリ６には、原画像データＤ０がそれぞれ予め記憶されているものとする。また、各ＵＳＢメモリ６は、各プロジェクタ３の各ストレージ入力端子３２１１Ｄにそれぞれ接続されているものとする。
【００７６】
先ず、利用者による制御用ＰＣ４の操作部４１への「第２のシンプル(Whole)モード」を選択する入力操作により、操作部４１からＰＣ本体４３に所定の操作信号が出力される。そして、ＰＣ本体４３は、操作信号（モード選択情報）を入力すると（ステップＳＴ６００：モード選択情報取得ステップ）、該操作信号に応じて、メモリ４３２に記憶された
制御プログラムを実行し、ネットワークＮ１を介して、制御指令を送信する（ステップＳＴ６０１：制御指令出力ステップ）。
ここで、前記制御指令としては、以下の通りである。
すなわち、前記制御指令としては、各プロジェクタ３の各入力系統選択部３２２に複数の信号入力系統３２１のうちストレージ入力系統３２１Ｄを選択させる旨の制御指令、各ＵＳＢメモリ６から原画像データＤ０を読み出させる旨の制御指令、および各プロジェクタ３の各表示制御部３２３に各ＵＳＢメモリ６から読み出した原画像データＤ０に対する画像データ処理（部分画像データ生成処理、画像データ補正処理）や表示制御を実施させる旨の制御指令である。
また、前記制御指令としては、各プロジェクタ３の各部分画像情報生成部３２３１Ａが部分画像データを生成する際に用いる各処理条件パラメータを含むものである。
なお、各処理条件パラメータは、上述したようにプロジェクタ３毎に異なるものである。このため、制御用ＰＣ４は、例えば、ネットワークＮ１としてのＬＡＮ上において、各プロジェクタ３に割り振られたＩＰアドレスに基づいて、各処理条件パラメータを各プロジェクタ３にそれぞれ送信する。
【００７７】
ステップＳＴ６０１の後、各プロジェクタ３は、ネットワークＮ１を介して送信された制御指令を、ネットワーク入力系統３２１Ｃにて受信する（ステップＳＴ６０２）。また、ネットワーク入力部３２１２Ｃは、受信した制御指令に所定の信号処理を施して主制御部３２４に出力する。さらに、主制御部３２４は、入力した制御指令に応じた制御信号を、入力系統選択部３２２、ストレージ入力部３２１２Ｄ、および表示制御部３２３に出力する。そして、入力系統選択部３２２、ストレージ入力部３２１２Ｄ、および表示制御部３２３は、入力した制御信号に応じて、それぞれ以下の処理を実行する。
すなわち、入力系統選択部３２２は、複数の信号入力系統３２１のうちストレージ入力系統３２１Ｄを選択する（ステップＳＴ６０３：入力系統選択ステップ）。
【００７８】
ステップＳＴ６０３の後、ストレージ入力部３２１２Ｄは、ストレージ入力端子３２１１Ｄに接続されたＵＳＢメモリ６に記憶された原画像データＤ０を読み出し、入力した原画像データＤ０に復号処理を施す（ステップＳＴ６０４：画像情報入力ステップ）。
ステップＳＴ６０４の後、部分画像情報生成部３２３１Ａは、ネットワークＮ１を介して送信された制御指令に含まれる処理条件パラメータを用いて、ストレージ入力系統３２１Ｄを介して出力された原画像データＤ０に対して、上述したステップＳＴ１０５，ＳＴ２０４，ＳＴ４０６と同様に、画像データ切出処理（ステップＳＴ６０５Ａ）、および画像サイズ変換処理（ステップＳＴ６０５Ｂ）を実施して、部分画像データＤ１〜Ｄ４を生成する（ステップＳＴ６０５）。
【００７９】
ステップＳＴ６０５の後、各プロジェクタ３においては、上述したリアルタイムモードでの動作と同様に、生成した部分画像データＤ１〜Ｄ４に対してガンマ補正等の画像データ補正処理（ステップＳＴ１０６）が実施され、部分画像データＤ１〜Ｄ４に応じた各部分画像が拡大投射されて原画像データＤ０に応じた原画像がスクリーンＳｃ上に表示される（ステップＳＴ１０７）。
【００８０】
〔第２のシンプル(Partial)モード〕
図１３は、第２のシンプル(Partial)モードでのマルチディスプレイシステム１の動作を説明するフローチャートである。
なお、以下では、各ＵＳＢメモリ６には、部分画像データＤ１〜Ｄ４がそれぞれ予め記憶されているものとする。また、各ＵＳＢメモリ６は、記憶した部分画像データＤ１〜Ｄ４に対応した各プロジェクタ３の各ストレージ入力端子３２１１Ｄにそれぞれ接続されているものとする。
【００８１】
先ず、利用者による制御用ＰＣ４の操作部４１への「第２のシンプル(Partial)モード」を選択する入力操作により、操作部４１からＰＣ本体４３に所定の操作信号が出力される。そして、ＰＣ本体４３は、操作信号（モード選択情報）を入力すると（ステップＳＴ７００：モード選択情報取得ステップ）、該操作信号に応じて、メモリ４３２に記憶された制御プログラムを実行し、ネットワークＮ１を介して、制御指令を送信する（ステップＳＴ７０１：制御指令出力ステップ）。
ここで、前記制御指令としては、以下の通りである。
すなわち、前記制御指令としては、各プロジェクタ３の各入力系統選択部３２２に複数の信号入力系統３２１のうちストレージ入力系統３２１Ｄを選択させる旨の制御指令、各ＵＳＢメモリ６から部分画像データＤ１〜Ｄ４を読み出させる旨の制御指令、および各プロジェクタ３の各表示制御部３２３に各ＵＳＢメモリ６から読み出した部分画像データＤ１〜Ｄ４に対する画像データ処理（画像データ補正処理）や表示制御を実施させる旨の制御指令である。
【００８２】
ステップＳＴ７０１の後、各プロジェクタ３においては、上述した第２のシンプル(Whole)モードでの動作と同様に、制御指令の受信（ステップＳＴ６０２）、およびストレージ入力系統３２１Ｄの選択（ステップＳＴ６０３）を実施する。
ステップＳＴ６０３の後、ストレージ入力部３２１２Ｄは、ストレージ入力端子３２１１Ｄに接続されたＵＳＢメモリ６に記憶された部分画像データＤ１〜Ｄ４を読み出し、入力した部分画像データＤ１〜Ｄ４に復号処理を施す（ステップＳＴ７０２：画像情報入力ステップ）。
ステップＳＴ７０２の後、画像補正部３２３１Ｂは、ストレージ入力系統３２１Ｄから出力された部分画像データＤ１〜Ｄ４に対して、ガンマ補正等の画像データ補正処理を実施する（ステップＳＴ７０３）。
ステップＳＴ７０３の後、パネル駆動部３２３２は、画像データ補正処理が実施された部分画像データＤ１〜Ｄ４に応じた駆動信号を生成し、液晶ライトバルブ３１２に出力し、液晶ライトバルブ３１２に部分画像データＤ１〜Ｄ４に応じた各部分画像を形成させる。そして、各プロジェクタ３Ａ〜３Ｄから各部分画像が拡大投射されスクリーンＳｃ上に投影されることで、原画像データＤ０に応じた原画像が表示される（ステップＳＴ７０４：表示ステップ）。
【００８３】
以上のように、本実施形態では、マルチディスプレイシステム１においては、利用者により制御用ＰＣ４の操作部４１が操作され、所定の表示モードが選択されることで、選択された表示モードに応じた動作を実施する。
【００８４】
上述した実施形態によれば、以下の効果がある。
本実施形態では、マルチディスプレイシステム１は、複数の信号入力系統３２１、入力系統選択部３２２、および表示制御部３２３を有する複数のプロジェクタ３と、各プロジェクタ３を制御する制御用ＰＣ４とを備えている。このことにより、利用者は、利用したい用途に応じた表示モードを選択するだけで、マルチディスプレイシステム１が選択された表示モードで動作するので、種々の用途、例えば、プレゼンテーション等のリアルタイム性が必要な場合、高解像度で原画像を表示する場合、あるいは、少リソースでマルチディスプレイシステム１を運用する場合等に利用でき、利便性の向上が図れる。
また、各表示装置としてプロジェクタ３を採用している。このことにより、一般的なプロジェクタとしては複数の信号入力系統を備えているので、プロジェクタが備える複数の信号入力系統を有効に活用することで、新たなハードウェアの追加を最小限にし、低コストでマルチディスプレイシステム１を構築できる。
【００８５】
ここで、リアルタイムモードでは、マルチディスプレイシステム１は、第１のビデオ信号の階層での信号処理を実施するように動作するため、途中で圧縮や復号等のデータ変換
処理の必要がない。このため、遅延が少なく、例えば、画像出力装置２としてノートＰＣを採用し、ノートＰＣ上でスライド形式のファイルを扱ってプレゼンテーションを実施する場合等には、ノートＰＣの操作によって画面を切り替えたとき等にレスポンスがよい。すなわち、複数の表示モードのうちリアルタイムモードを選択することで、プレゼンテーション等のリアルタイム性が必要な場合にマルチディスプレイシステム１を最適に動作させることができる。また、各描画装置５等を用いる必要がなく、すなわち、各描画装置５等の電源を投入する必要がないので、消費電力面において低コストにマルチディスプレイシステム１を運用できる。
【００８６】
また、ハイパフォーマンス(Whole)モードおよびハイパフォーマンス(Partial)モードにおいては、各描画装置５（パーソナルコンピュータ）は、一般的にグラフィック処理の機能を有しているので、部分画像データＤ１〜Ｄ４に対して高精度の画像処理（画素の色、輝度、解像度等を変換する画像処理）を施して高解像度の部分画像データＤ１〜Ｄ４を生成できる。すなわち、各プロジェクタ３が高解像度の部分画像データＤ１〜Ｄ４に基づく部分画像を拡大投射してスクリーンＳｃ上に表示するので、部分画面を統合した全体画面としてはさらに高解像度の原画像を表示することができる。したがって、複数の表示モードのうちハイパフォーマンスモードを選択することで、高解像度で原画像を表示する場合にマルチディスプレイシステム１を最適に動作させることができる。
また、各描画装置５としてパーソナルコンピュータを採用することで、ソフトウェアの追加や更新によるマルチディスプレイシステム１の構築後の機能の追加を容易に実施できる。
【００８７】
さらに、第１のシンプル(Whole)モードおよび第１のシンプル(Partial)モードにおいては、各描画装置５等を用いる必要がなく、すなわち、各描画装置５等の電源を投入する必要がないので、消費電力面において低コストにマルチディスプレイシステム１を運用できる。したがって、複数の表示モードのうち第１のシンプルモードを選択することで、少リソースでマルチディスプレイシステム１を運用したい場合にマルチディスプレイシステム１を最適に動作させることができる。
また、ネットワークＮ１を介して画像情報（原画像データＤ０または部分画像データＤ１〜Ｄ４）がデジタル信号として各プロジェクタ３に入力されるので、アナログビデオ信号のようなケーブルの引き回しによる信号劣化を回避できる。
【００８８】
さらにまた、第２のシンプル(Whole)モードおよび第２のシンプル(Partial)モードにおいては、各描画装置５等を用いる必要がなく、すなわち、各描画装置５等の電源を投入する必要がないので、消費電力面において低コストにマルチディスプレイシステム１を運用できる。したがって、複数の表示モードのうち第２のシンプルモードを選択することで、少リソースでマルチディスプレイシステム１を運用したい場合にマルチディスプレイシステム１を最適に動作させることができる。
また、画像情報（原画像データＤ０または部分画像データＤ１〜Ｄ４）がデジタル信号として各プロジェクタ３に入力されるので、アナログビデオ信号のようなケーブルの引き回しによる信号劣化を回避できる。
さらに、各プロジェクタ３、各ＵＳＢメモリ６、および制御用ＰＣ４のみで実現できるので、コンテンツの切り替えを頻繁に行う必要がない用途であればさらに低コストにマルチディスプレイシステム１を運用できる。
【００８９】
なお、本発明は前述の実施形態に限定されるものではなく、本発明の目的を達成できる範囲での変形、改良等は本発明に含まれるものである。
前記実施形態では、リアルタイムモード、ハイパフォーマンス(Whole)モード、ハイパフォーマンス(Partial)モード、第１のシンプル(Whole)モード、第１のシンプル(Partial)モード、第２のシンプル(Whole)モード、第２のシンプル(Partial)モードの７つの表示
モードでの動作を実現する構成を説明したが、これに限らず、その他の表示モードを加えて７つ以上の表示モードでの動作を実現する構成や、上記７つの表示モードのうち少なくとも２つ以上の表示モードでの動作を実現する構成を採用しても構わない。
前記実施形態では、プロジェクタ３は、４台で構成されていたが、これに限らず、２台、３台、あるいは、５台以上で構成しても構わない。また、描画装置５も同様である。
【００９０】
前記実施形態では、各部分画像が重なり合うことなく各部分画像によって原画像を構成するものとしたが、これに限らず、各部分画像の一部が重なり合うことで原画像を構成するものとしても構わない。
この際、部分画像の重なり領域の明るさを調整して、重なり領域を目立ちにくくすることが好ましい。例えば、部分画像の重なり領域の明るさを光学的に調整、すなわち、拡大投射される部分画像の一部の光量を遮光板により調整する。また、例えば、部分画像データにおける重なり領域に対応する画像データに対して、明るさ（輝度や色）を調整する画像補正処理を実施する。
【００９１】
前記実施形態では、ネットワークＮ１，Ｎ２としては、ＬＡＮケーブル等の信号線Ｓ１０〜Ｓ１９を用いた有線にて構成されていたが、有線に限らず、無線ＬＡＮ等の無線にて構成しても構わない。
【００９２】
前記実施形態では、第１のシンプル(Whole)モードおよび第１のシンプル(Partial)モードの際、制御用ＰＣ４がネットワークＮ２を介して画像データ（原画像データ、部分画像データ）を送信する構成としたが、これに限らない。例えば、各描画装置５が、ハードディスク等の記憶装置やＤＶＤ等の記録媒体等に記憶された画像データ（原画像データ、部分画像データ）を読み出して用いる構成としても構わない。
【００９３】
前記実施形態では、制御用ＰＣ４から各処理条件パラメータを、各プロジェクタ３や各描画装置５に送信する構成としていたが、これに限らず、各プロジェクタ３や各描画装置５が予め各処理条件パラメータを記憶し、該記憶した処理条件パラメータを用いる構成としても構わない。
【００９４】
前記実施形態では、リアルタイムモードにおいて、各プロジェクタ３が自身で部分画像データを生成していたが、これに限らない。
図１４は、前記実施形態の変形例を示す図である。
例えば、図１４に示すように、画像信号分配器２Ａと各プロジェクタ３との間に、スキャンコンバータ７を配設する。そして、スキャンコンバータ７は、図１４では図示を省略したが制御用ＰＣ４とネットワークを介して接続し、制御用ＰＣ４からの制御指令に応じて、画像信号分配器２Ａから出力された第１のビデオ信号（原画像データ）に対してステップＳＴ１０５と同様な処理を実施して部分画像データを生成し、プロジェクタ３に出力する。
【００９５】
前記実施形態では、透過型の液晶パネル（液晶ライトバルブ３１２）を採用していたが、これに限らず、反射型の液晶パネルを採用してもよく、あるいは、ディジタル・マイクロミラー・デバイス（テキサス・インスツルメント社の商標）を採用してもよい。
前記実施形態では、液晶ライトバルブ３１２を３枚設けた構成としていたが、これに限らず、１枚のみの液晶ライトバルブ３１２を設ける構成、２枚の液晶ライトバルブ３１２を設ける構成、４枚以上の液晶ライトバルブ３１２を設ける構成としてもよい。
【００９６】
前記実施形態では、表示装置としてプロジェクタを採用していたが、これに限らず、直視型のディスプレイ（プラズマや液晶、ＣＲＴ(Cathode-Ray Tube)ディスプレイ等）で構成しても構わない。
【００９７】
さらに、本発明を実施するための最良の構成等は、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部若しくは全部の限定を外した部材の名称での記載は、本発明に含まれるものである。
【産業上の利用可能性】
【００９８】
本発明は、種々の用途に利用でき、利便性の向上が図れるので、一画面の原画像の少なくとも一部を構成する部分画像を表示する複数の表示装置を有し、複数の表示装置が表示する各部分画像によって原画像を表示するマルチディスプレイシステムに利用できる。
【図面の簡単な説明】
【００９９】
【図１】本実施形態におけるマルチディスプレイシステムの構成を示す図。
【図２】前記実施形態における各プロジェクタから拡大投射された各部分画像によって原画像をタイリング表示する様子を示す図。
【図３】前記実施形態におけるプロジェクタの構成を示すブロック図。
【図４】前記実施形態における制御用ＰＣの構成を示すブロック図。
【図５】前記実施形態における描画装置の構成を示すブロック図。
【図６】前記実施形態におけるリアルタイムモードでのマルチディスプレイシステムの動作を説明するフローチャート。
【図７】前記実施形態における部分画像情報生成部にて実施される部分画像データ生成処理を示す図。
【図８】前記実施形態におけるハイパフォーマンス(Whole)モードでのマルチディスプレイシステムの動作を説明するフローチャート。
【図９】前記実施形態におけるハイパフォーマンス(Partial)モードでのマルチディスプレイシステムの動作を説明するフローチャート。
【図１０】前記実施形態における第１のシンプル(Whole)モードでのマルチディスプレイシステムの動作を説明するフローチャート。
【図１１】前記実施形態における第１のシンプル(Partial)モードでのマルチディスプレイシステムの動作を説明するフローチャート。
【図１２】前記実施形態における第２のシンプル(Whole)モードでのマルチディスプレイシステムの動作を説明するフローチャート。
【図１３】前記実施形態における第２のシンプル(Partial)モードでのマルチディスプレイシステムの動作を説明するフローチャート。
【図１４】前記実施形態の変形例を示す図。
【符号の説明】
【０１００】
１・・・マルチディスプレイシステム、２・・・画像出力装置（画像信号出力装置）、２Ａ・・・画像信号分配器、３，３Ａ〜３Ｄ・・・プロジェクタ（表示装置）、４・・・制御用ＰＣ（制御装置）、５・・・描画装置、６・・・ＵＳＢメモリ（ストレージデバイス）、３２１・・・信号入力系統、３２１Ａ・・・第１のビデオ信号入力系統、３２１Ｂ・・・第２のビデオ信号入力系統、３２１Ｃ・・・ネットワーク入力系統、３２１Ｄ・・・ストレージ入力系統、３２２・・・入力系統選択部、３２３・・・表示制御部、３２１１Ａ，３２１１Ｂ，３２１１Ｃ，３２１１Ｄ・・・入力端子、Ｎ１・・・ネットワーク、ＳＴ１００，ＳＴ２００，ＳＴ３００，ＳＴ４００，ＳＴ５００，ＳＴ６００，ＳＴ７０
０・・・モード選択情報取得ステップ、ＳＴ１０１，ＳＴ２０２，ＳＴ３０１，ＳＴ４０１，ＳＴ５０１，ＳＴ６０１，ＳＴ７０１・・・制御指令出力ステップ、ＳＴ１０３，ＳＴ２０８，ＳＴ４０４，ＳＴ６０３・・・入力系統選択ステップ、ＳＴ１０４，ＳＴ２０９，ＳＴ４０５，ＳＴ５０３，ＳＴ６０４・・・画像情報入力ステップ、ＳＴ１０７，ＳＴ２１１，ＳＴ５０５，ＳＴ７０４・・・表示ステップ。
【図１】
2008040205.tif 000003
【図２】
2008040205.tif 000004
【図３】
2008040205.tif 000005
【図４】
2008040205.tif 000006
【図５】
2008040205.tif 000007
【図６】
2008040205.tif 000008
【図７】
2008040205.tif 000009
【図８】
2008040205.tif 000010
【図９】
2008040205.tif 000011
【図１０】
2008040205.tif 000012
【図１１】
2008040205.tif 000013
【図１２】
2008040205.tif 000014
【図１３】
2008040205.tif 000015
【図１４】
2008040205.tif 000016
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
一画面の原画像の少なくとも一部を構成する部分画像を表示する複数の表示装置を有し、前記複数の表示装置が表示する各部分画像によって前記原画像を表示するマルチディスプレイシステムであって、
前記複数の表示装置に所定の制御指令を出力して前記複数の表示装置を制御する制御装置を備え、
前記表示装置は、
前記原画像または前記部分画像に関する画像情報を入力するための入力端子をそれぞれ有し、入力される前記画像情報の信号形式に応じて設定された複数の信号入力系統と、
前記制御装置からの前記所定の制御指令に応じて、前記複数の信号入力系統のうちいずれかの信号入力系統を選択し、選択した信号入力系統を介して前記画像情報を入力させる入力系統選択部と、
前記制御装置からの前記所定の制御指令に応じて、入力した前記画像情報に対して所定の画像処理を施して表示部に前記部分画像を表示させる表示制御部とを備え、
前記制御装置は、
当該マルチディスプレイシステムの用途に応じた複数の表示モードのうちいずれかの表示モードを選択する旨のモード選択情報を取得し、取得したモード選択情報に基づいて、前記複数の表示装置に前記所定の制御指令を出力し、前記複数の表示装置を構成する各前記入力系統選択部に前記モード選択情報に対応した信号入力系統を選択させ、前記モード選択情報に対応した前記表示モードで各部分画像を表示させる
ことを特徴とするマルチディスプレイシステム。
【請求項２】
請求項１に記載のマルチディスプレイシステムにおいて、
前記画像情報を同一の第１のビデオ信号として前記複数の表示装置にそれぞれ出力する画像信号出力装置を備え、
前記複数の信号入力系統は、前記画像信号出力装置から出力された第１のビデオ信号を入力するための第１のビデオ信号入力系統を含んで構成され、
前記制御装置は、
前記複数の表示モードのうちリアルタイムモードを選択する旨のモード選択情報を取得した場合に、前記複数の表示装置に所定の制御指令を出力し、前記複数の表示装置を構成する各前記入力系統選択部に前記リアルタイムモードに対応した前記第１のビデオ信号入力系統を選択させ、前記リアルタイムモードで各部分画像を表示させる
ことを特徴とするマルチディスプレイシステム。
【請求項３】
請求項１または請求項２に記載のマルチディスプレイシステムにおいて、
前記画像情報に基づいて前記部分画像に関する部分画像情報を形成し、前記部分画像情報に対して所定の画像処理を施し、画像処理を施した前記部分画像情報を第２のビデオ信号として前記複数の表示装置にそれぞれ出力する複数の描画装置を備え、
前記複数の信号入力系統は、前記描画装置から出力された第２のビデオ信号を入力するための第２のビデオ信号入力系統を含んで構成され、
前記制御装置は、
前記複数の表示モードのうちハイパフォーマンスモードを選択する旨のモード選択情報を取得した場合に、前記複数の表示装置に所定の制御指令を出力し、前記複数の表示装置を構成する各前記入力系統選択部に前記ハイパフォーマンスモードに対応した前記第２のビデオ信号入力系統を選択させ、前記ハイパフォーマンスモードで各部分画像を表示させる
ことを特徴とするマルチディスプレイシステム。
【請求項４】
請求項１から請求項３のいずれかに記載のマルチディスプレイシステムにおいて、
前記画像情報を第１のデジタル信号として前記複数の表示装置にそれぞれ伝送可能とするネットワークを備え、
前記複数の信号入力系統は、前記ネットワークを介して前記第１のデジタル信号を入力するためのネットワーク入力系統を含んで構成され、
前記制御装置は、
前記複数の表示モードのうち第１のシンプルモードを選択する旨のモード選択情報を取得した場合に、前記複数の表示装置に所定の制御指令を出力し、前記複数の表示装置を構成する各前記入力系統選択部に前記第１のシンプルモードに対応した前記ネットワーク入力系統を選択させ、前記第１のシンプルモードで各部分画像を表示させる
ことを特徴とするマルチディスプレイシステム。
【請求項５】
請求項１から請求項４のいずれかに記載のマルチディスプレイシステムにおいて、
前記画像情報を記憶し、前記画像情報を第２のデジタル信号として前記複数の表示装置にそれぞれ出力する複数のストレージデバイスを備え、
前記複数の信号入力系統は、前記ストレージデバイスから出力された第２のデジタル信号を入力するためのストレージ入力系統を含んで構成され、
前記制御装置は、
前記複数の表示モードのうち第２のシンプルモードを選択する旨のモード選択情報を取得した場合に、前記複数の表示装置に所定の制御指令を出力し、前記複数の表示装置を構成する各前記入力系統選択部に前記第２のシンプルモードに対応した前記ストレージ入力系統を選択させ、前記第２のシンプルモードで各部分画像を表示させる
ことを特徴とするマルチディスプレイシステム。
【請求項６】
一画面の原画像の少なくとも一部を構成する部分画像を表示する複数の表示装置と、前記複数の表示装置を制御する制御装置とを備え、前記複数の表示装置が表示する各部分画像によって前記原画像を表示するマルチディスプレイシステムを利用した表示方法であって、
前記制御装置が、
前記マルチディスプレイシステムの用途に応じた複数の表示モードのうちいずれかの表示モードを選択する旨のモード選択情報を取得するモード選択情報取得ステップと、
前記モード選択情報に基づいて、前記複数の表示装置に制御指令を出力する制御指令出力ステップとを実行し、
前記表示装置が、
前記制御装置からの制御指令に応じて、複数の信号入力系統のうち前記選択された表示モードに対応した信号入力系統を選択する入力系統選択ステップと、
選択した前記信号入力系統を介して、前記原画像または前記部分画像に関する画像情報を入力する画像情報入力ステップと、
入力した前記画像情報に対して所定の画像処理を施して表示部に前記選択された表示モードで部分画像を表示する表示ステップとを実行する
ことを特徴とする表示方法。
【請求項７】
表示装置であって、
原画像または一画面の原画像の少なくとも一部を構成する部分画像に関する画像情報を入力するための入力端子を有し、入力される前記画像情報の信号形式に応じて設定された複数の信号入力系統と、
制御装置からの所定の制御指令に応じて、前記複数の信号入力系統のうちいずれかの信号入力系統を選択し、選択した信号入力系統を介して前記画像情報を入力させる入力系統選択部と、
前記所定の制御指令に応じて、入力した前記画像情報に対して所定の画像処理を施して表示部に前記部分画像を表示させる表示制御部と、
を備えることを特徴とする表示装置。
【請求項８】
請求項７に記載の表示装置において、
前記複数の信号入力系統が、画像信号出力装置から出力された第１のビデオ信号を入力するための第１のビデオ信号入力系統を含んで構成され、
前記制御装置がリアルタイムモードを選択する旨のモード選択情報を取得した場合の前記所定の制御指令に応じて、
前記入力系統選択部が、前記第１のビデオ信号入力系統を選択し、前記第１のビデオ信号を入力させ、
前記表示制御部が、前記第１のビデオ信号に対して、画像データ切出処理を実施して前記部分画像を生成し、前記表示部に前記部分画像を表示させる、
ことを特徴とする表示装置。
【請求項９】
請求項７に記載の表示装置において、
前記複数の信号入力系統が、描画装置から出力された第２のビデオ信号を入力するための第２のビデオ信号入力系統を含んで構成され、
前記制御装置がハイパフォーマンスモードを選択する旨のモード選択情報を取得した場合の前記所定の制御指令に応じて、
前記入力系統選択部が、前記第２のビデオ信号入力系統を選択し、前記第２のビデオ信号を入力させ、
前記表示制御部が、前記第２のビデオ信号を前記部分画像とし、前記表示部に前記部分画像を表示させる、
ことを特徴とする表示装置。
【請求項１０】
請求項７に記載の表示装置において、
前記複数の信号入力系統が、ネットワークを介して第１のデジタル信号を入力するためのネットワーク入力系統を含んで構成され、
前記制御装置が第１のシンプルモードを選択する旨のモード選択情報を取得した場合の前記所定の制御指令に応じて、
前記入力系統選択部が、前記ネットワーク入力系統を選択し、前記第１のデジタル信号を入力させ、
前記表示制御部が、前記第１のデジタル信号に対して、画像データ切出処理を実施して前記部分画像を生成し、前記表示部に前記部分画像を表示させる、
ことを特徴とする表示装置。
【請求項１１】
請求項７に記載の表示装置において、
前記複数の信号入力系統が、ストレージデバイスから出力された第２のデジタル信号を入力するためのストレージ入力系統を含んで構成され、
前記制御装置が第２のシンプルモードを選択する旨のモード選択情報を取得した場合の前記所定の制御指令に応じて、
前記入力系統選択部が、前記ストレージ入力系統を選択し、前記第２のデジタル信号を入力させ、
前記表示制御部が、前記第２のデジタル信号に対して、画像データ切出処理を実施して前記部分画像を生成し、前記表示部に前記部分画像を表示させる、
ことを特徴とする表示装置。
【手続補正２】
【補正対象書類名】明細書
【補正対象項目名】００５４
【補正方法】変更
【補正の内容】
【００５４】
また、プロジェクタ３Ｄの部分画像情報生成部３２３１Ａは、以下に示すように、ステップＳＴ１０５を実施することで、部分画像データＤ４（図７）を生成する。
すなわち、ステップＳＴ１０５Ａにおいて、部分画像情報生成部３２３１Ａは、ネットワークＮ１を介して送信された制御指令に含まれる処理条件パラメータである始点座標Ｐ４（Ｗ／２、Ｈ／２）、および拡大率Ｚ４（図７）に基づいて、終点座標Ｑ４（Ｗ、Ｈ）を算出する。そして、部分画像情報生成部３２３１Ａは、原画像データＤ０から読み出した始点座標Ｐ４、および算出した終点座標Ｑ４で設定される切出範囲の画像データＤ４Ａを切り出す。この後、ステップＳＴ１０５Ｂにおいて、部分画像情報生成部３２３１Ａは、切り出した画像データＤ４Ａに対して、拡大率Ｚ４で拡大を実施することで、部分画像データＤ４を生成する。